(57)【要約】【課題】太陽光発電パネルの発電状態を容易に診断できるようにすること。【解決手段】隣接する二つの太陽光発電パネル１０４から一対のＬＥＤ灯２０２に個々に給電し、給電量が同一である場合には一対のＬＥＤ灯２０２を等価に発光させるようにし、一対のＬＥＤ灯２０２を隣接配置してそれらの点灯状態を見比べることができるようにし、かつ、一対のＬＥＤ灯２０２と二つの太陽光発電パネル１０４との対応関係を記号化（一対のＬＥＤ灯２０２の色彩をことならせて色彩に意味を持たせる、文字表記する、配置位置に意味を持たせるようにする、等）して示すようにしておくことで、発電量が低下した太陽光発電パネル１０４を視覚的に判別可能とする。【選択図】図７
2011096987.tif 000002
【特許請求の範囲】
【請求項１】
隣接する二つの太陽光発電パネルから一対のＬＥＤ灯に個々に給電し、給電量が同一である場合には前記一対のＬＥＤ灯を等価に発光させる発光回路と、
前記一対のＬＥＤ灯を隣接配置するＬＥＤ灯配置部と、
前記一対のＬＥＤ灯と前記二つの太陽光発電パネルとの対応関係を記号化して示す標示部と、
を備える太陽光発電パネルの診断装置。
【請求項２】
前記一対のＬＥＤ灯は、それぞれ、発光色が異なる複数個のＬＥＤから形成されている、請求項１記載の太陽光発電パネルの診断装置
【請求項３】
隣接する二つの太陽光発電パネルの給電ラインに対して、整流方向を逆向きにされて並列接続された一対のＬＥＤ灯を並列に接続する故障検出回路と、
前記一対のＬＥＤ灯と前記二つの太陽光発電パネルとの対応関係を記号化して示す標示部と、
を備える太陽光発電パネルの診断装置。
【請求項４】
前記故障検出回路は、前記一対のＬＥＤ灯のそれぞれのアノード側にツェナーダイオードを介在させる、請求項３記載の太陽光発電パネルの診断装置。
【請求項５】
前記標示部が記号化に用いる記号は前記一対のＬＥＤ灯の間で異なる色彩である、請求項１、３又は４記載の太陽光発電パネルの診断装置。
【請求項６】
前記標示部が記号化に用いる記号は文字である、請求項１、２、３又は４記載の太陽光発電パネルの診断装置。
【請求項７】
前記標示部が記号化に用いる記号は前記ＬＥＤ灯の配置位置である、請求項１、２、３又は４記載の太陽光発電パネルの診断装置。
【請求項８】
前記太陽光発電パネルは、一枚を一単位とする、請求項１ないし７のいずれか一記載の太陽光発電パネルの診断装置
【請求項９】
前記太陽光発電パネルは、複数枚のユニットを一単位とする、請求項１ないし７のいずれか一記載の太陽光発電パネルの診断装置
【請求項１０】
請求項１ないし９のいずれか一記載の太陽光発電パネルの診断装置と、
前記太陽光発電パネルを有する遮音パネルと、
を備える遮音壁。
【請求項１１】
前記太陽光発電パネルは、透光性を有する、請求項１０記載の遮音壁。
【請求項１２】
前記太陽光発電パネルは、一対の透光板の間に結線された複数個の球状の太陽電池セルをラミネートして形成されている、請求項１１記載の遮音壁。
【請求項１３】
請求項１ないし９のいずれか一記載の太陽光発電パネルの診断装置と、
前記太陽光発電パネルを有して建造物の開口部を塞ぐ透光性を有する窓ガラスと、
を備える建造物用の窓ガラス。
【請求項１４】
前記太陽光発電パネルは、一対の透光板の間に結線された複数個の球状の太陽電池セルをラミネートして形成されている、請求項１３記載の建造物用の窓ガラス。
【請求項１５】
請求項１ないし９のいずれか一記載の太陽光発電パネルの診断装置と、
前記太陽光発電パネルを有して乗物の開口部を塞ぐ透光性を有する窓ガラスと、
を備える乗物用の窓ガラス。
【請求項１６】
前記太陽光発電パネルは、一対の透光板の間に結線された複数個の球状の太陽電池セルをラミネートして形成されている、請求項１５記載の乗物用の窓ガラス。
【発明の詳細な説明】
【技術分野】
【０００１】
本発明は、太陽光発電パネルの発電状態を診断する太陽光発電パネルの診断装置に関する。本発明は、また、自動車や電車等の車両が走行する走行路の付帯設備として利用する遮音壁に係り、特に、太陽光発電パネルと一体になった遮音パネルから構成される遮音壁に関する。本発明は、更に、太陽光発電パネルと一体になった建造物用の窓ガラス、あるいは乗物用の窓ガラスに関する。
【背景技術】
【０００２】
自動車や電車等の車両が走行する走行路、とりわけ高速道路や自動車専用道路には、その付帯設備として遮音壁が設置されることがある。遮音壁は、走行路の側部に沿って設置され、車両の走行によって発生する騒音が近隣に及ぶことを抑制する。このような遮音壁は、走行路の端部に沿って所定間隔で設置された支柱の間に複数個の遮音パネルを積み重ねて保持することで構築されている。
【０００３】
近年、省エネルギー化による地球環境保護等の観点より、遮音壁を利用した太陽光発電についての試みが始まっている。例えば、特許文献１には、遮音壁をなす遮音パネルの一部をくり抜き、このくり抜き部分に太陽光発電パネルを嵌め込んだ発明が記載されている。特許文献１の記載によれば、太陽光発電パネルは透視性を有するものとされている（段落００２４参照）。そして、太陽電池を一個取り付ける場合には、その太陽電池の周囲から透視性が維持されるようにし、太陽電池を複数個取り付ける場合には、透視性を損なわない程度の間隔で各太陽電池を配置することが示されている（段落００３１参照）。
【０００４】
また、特許文献２には、透光性を有する太陽光発電パネルとして、より洗練された構造のものが示されている。つまり、特許文献２は、一対の透明板の間に結線された球状の太陽電池セルを封止した太陽光発電パネルを開示する。
【先行技術文献】
【特許文献】
【０００５】
【特許文献１】特開２００３−２３９２２６公報
【特許文献２】再表２００７−０８０６３１公報
【発明の概要】
【発明が解決しようとする課題】
【０００６】
太陽光発電パネルは、経年劣化や故障等によって発電量が低下する。とりわけ、故障による急激な発電量低下は深刻な問題である。このため、太陽光発電パネルが設置された設備等においては、太陽光発電パネルの発電状態を定期的に診断する必要がある。この場合、数枚や数十枚程度の太陽光発電パネルであれば、一枚一枚その発電状態を診断していったとしても然程の煩雑さはない。ところが、例えば高速道路の遮音壁を構成する遮音パネルの一つ一つに太陽光発電パネルを設置したような場合、膨大な数の太陽光発電パネルが設けられることになる。それ故、その発電状態を一枚一枚診断することは、事実上不可能である。このようなことから、何らかの合理的な手法をもって太陽光発電パネルの発電状態を容易に診断できるようにしたいものである。
【０００７】
とりわけ、太陽光発電パネルに透光性を持たせた場合、太陽光発電パネル内には複数個の太陽電池セルを結線する微細な配線が存在することになる。このため、振動の影響下に晒される遮音壁に透光性を有する太陽光発電パネルを用いた場合、太陽光発電パネルの故障による急激な発電量低下が懸念される。そこで、このような透光性を有する太陽光発電パネルを遮音壁として利用する場合には、上記診断の要請がより一層高まるものと予想される。
【０００８】
本発明は、このような点に鑑みなされたもので、太陽光発電パネルの発電状態を容易に診断できるようにすることを目的とする。
【課題を解決するための手段】
【０００９】
本発明の太陽光発電パネルの診断装置は、隣接する二つの太陽光発電パネルから一対のＬＥＤ灯に個々に給電し、給電量が同一である場合には前記一対のＬＥＤ灯を等価に発光させる発光回路と、前記一対のＬＥＤ灯を隣接配置するＬＥＤ灯配置部と、前記一対のＬＥＤ灯と前記二つの太陽光発電パネルとの対応関係を記号化して示す標示部と、を備える。
【００１０】
別の面から見た本発明の太陽光発電パネルの診断装置は、隣接する二つの太陽光発電パネルの給電ラインに対して、整流方向を逆向きにされて並列接続された一対のＬＥＤ灯を並列に接続する故障検出回路と、前記一対のＬＥＤ灯と前記二つの太陽光発電パネルとの対応関係を記号化して示す標示部と、を備える。
【００１１】
本発明の遮音壁は、上記いずれか一方の太陽光発電パネルの診断装置と、前記太陽光発電パネルを有する遮音パネルと、を備える。
【００１２】
本発明の建造物用の窓ガラスは、上記いずれか一方の太陽光発電パネルの診断装置と、前記太陽光発電パネルを有して建造物の開口部を塞ぐ透光性を有する窓ガラスと、を備える。
【００１３】
本発明の乗物用の窓ガラスは、上記いずれか一方の太陽光発電パネルの診断装置と、前記太陽光発電パネルを有して乗物の開口部を塞ぐ透光性を有する窓ガラスと、を備える。
【発明の効果】
【００１４】
本発明によれば、隣接配置された一対のＬＥＤ灯の点灯状態を見比べることにより、あるいは、発電量が低下した太陽光発電パネルに対応しているものとして示されている一対のうちの一方のＬＥＤ灯が点灯することによって、発電量が低下した太陽光発電パネルを視覚的に判別することができ、したがって、太陽光発電パネルの発電状態を容易に診断することができる。
【図面の簡単な説明】
【００１５】
【図１】本発明の実施の一形態として、遮音壁を示す背面図である。
【図２】太陽光発電モジュールを示すブロック図である。
【図３】太陽光発電システムのシステム構成を示すブロック図である。
【図４】パワーコンディショナの部分を詳細に示すブロック図である。
【図５】故障検出回路の一例を示すブロック図である。
【図６】故障検出回路の詳細を示す回路図である。
【図７】ＬＥＤ灯配置部及び標示部の一例を示す模式図である。
【図８】ＬＥＤ灯配置部及び標示部の別の一例を示す模式図である。
【図９】標示部を拡大して示す正面図である。
【図１０】ＬＥＤ灯配置部及び標示部の更に別の一例を示す模式図である。
【発明を実施するための形態】
【００１６】
本発明の実施の形態を図面に基づいて説明する。
【００１７】
図１は、遮音壁を示す背面図である。遮音壁１０１は、車両が走行する走行路（図示せず）に沿って所定間隔で設置された複数本の支柱１０２の間に、複数個の遮音パネル１０３を積み重ねて保持することで構築されている。遮音パネル１０３は、透光性を有する太陽光発電パネル１０４を一体的に備えている。太陽光発電パネル１０４は、一つの遮音パネル１０３に一つ設けられている。
【００１８】
遮音壁１０１は、所々にパワーコンディショナ１０５を設置している。パワーコンディショナ１０５は、二つ分の遮音パネル１０３の分のスパンを利用して二本の支柱１０２の間に保持されたパワーコンディショナ壁１０６に内蔵されている。一つのパワーコンディショナ１０５は、複数個の太陽光発電パネル１０４に対応し、これらの複数個の太陽光発電パネル１０４から直流電力を取り込む。
【００１９】
一例として、本実施の形態の太陽光発電パネル１０４は、一対の透光板の間に結線された複数個の球状の太陽電池セルをラミネートして形成されている（図示せず）。
【００２０】
図２は、太陽光発電モジュール１０８（複数個の太陽光発電パネル１０４、接続箱１０７及びパワーコンディショナ１０５）を示すブロック図である。一枚の太陽光発電パネル１０４が複数枚集合して上下左右にマトリクス配置されることで太陽光発電モジュール１０８が構成されている。太陽光発電モジュール１０８は、横一列に複数枚並ぶ太陽光発電パネル１０４の集合からなる複数の系統１０９に分かれている。太陽光発電モジュール１０８は、一つのパワーコンディショナ１０５に対応付けられる単位であり、系統１０９は、一つの接続箱１０７に対応付けられる単位である。
【００２１】
一つの系統１０９において、個々の太陽光発電パネル１０４は直列に接続されている。接続箱１０７は、個々の系統１０９をそれぞれ直列にパワーコンディショナ１０５に接続させている。
【００２２】
このような太陽光発電パネル１０４及び接続箱１０７には、それぞれ、太陽光発電パネル１０４の診断装置Ａの一部をなす故障検出部２０１及び故障検出部３０１が設けられている。
【００２３】
太陽光発電パネル１０４の故障検出部２０１は、隣接する二つの太陽光発電パネル１０４から一対のＬＥＤ灯２０２に個々に給電し、給電量が同一である場合には一対のＬＥＤ灯２０２を等価に発光させる発光回路２０３を有している。発光回路２０３は、太陽光発電パネル１０４の入力端と出力端とを繋ぎ、抵抗ＲとＬＥＤ灯２０２とを直接に接続した二つの回路Ｃ１及び回路Ｃ２からなる。発光回路２０３は、一方の回路Ｃ１が有するＬＥＤ灯２０２を自己の太陽光発電パネル１０４に配置し、もう一方の回路Ｃ２が有するＬＥＤ灯２０２を隣接する太陽光発電パネル１０４に配置している。このようなＬＥＤ灯２０２の配置については、後述する。
【００２４】
接続箱１０７の故障検出部３０１は、複数個の太陽光発電パネルによって形成された隣接する二列の系統１０９から一対のＬＥＤ灯３０２に個々に給電し、給電量が同一である場合には一対のＬＥＤ灯３０２を等価に発光させる発光回路３０３を主体として回路構成されている。発光回路３０３は、複数個の太陽光発電パネルによって形成された各系統１０９の入力端と出力端とを繋ぎ、抵抗ＲとＬＥＤ灯３０２とを直接に接続している。
【００２５】
図３は、太陽光発電システム１１のシステム構成を示すブロック図である。太陽光発電システム１１は、一つのパワーコンディショナ１０５及び接続箱１０７を単位とする太陽光発電モジュール１０８を複数組備え、これらの太陽光発電モジュール１０８を分電盤１１０に直接接続している。分電盤１１０は、複数個の太陽光発電モジュール１０８から供給される電力の一部で負荷１１１を駆動し、他の一部を商用電力系統１１２に提供する。
【００２６】
このような一つの分電盤１１０の単位は小システムであり、この小システムは１０ｋＷ程度の電力を生成して負荷１１１を駆動し、商用電力系統１１２に電力を提供する。
【００２７】
図４は、パワーコンディショナ１０５の部分を詳細に示すブロック図である。一つの太陽光発電モジュール１０８について一つ設けられたパワーコンディショナ１０５は、個々に電圧検出回路１０５ａを有している。そして、小システムである太陽光発電システム１１をなす一つのパワーコンディショナ１０５には、電圧・故障表示部１０５ｂが設けられている。故障表示部１０５ｂは、個々のパワーコンディショナ１０５において電圧検出回路１０５ａが検出した電圧を取り込み、個々の太陽光発電モジュール１０８における電圧の状態や故障の有無等を表示する。
【００２８】
図５は、太陽光発電パネル１０４の故障検出部２０１の別の一例を示すブロック図である。図２に例示した故障検出部２０１は、前述したように、隣接する二つの太陽光発電パネル１０４から一対のＬＥＤ灯２０２に個々に給電し、給電量が同一である場合には一対のＬＥＤ灯２０２を等価に発光させる発光回路２０３を主体とする回路構成を有している。つまり、詳細は後述するが、隣接する二つの太陽光発電パネル１０４に対応付けられた一対のＬＥＤ灯２０２の発光状態を見比べて、人間の判断によって一方の太陽光発電パネル１０４の不具合を診断するという構成である。説明の便宜上、このような図２に例示する故障検出部２０１を第１例の故障検出部２０１と呼ぶ。
【００２９】
これに対して、図５に例示する故障検出部２０１は、一方の太陽光発電パネル１０４に不具合が発生した場合、その不具合が発生した太陽光発電パネル１０４に対応付けられているＬＥＤ灯２０２を点灯させる故障検出回路２０４を主体に構成されている。説明の便宜上、図５に例示する本例の故障検出部２０１を第２例の故障検出部２０１と呼ぶ。
【００３０】
図６は、太陽光発電パネル１０４の故障検出回路２０４の詳細を示す回路図である。本例の故障検出回路２０４は、隣接する二つの太陽光発電パネル１０４の給電ラインＰＳＬに対して、整流方向を逆向きにされて並列接続された一対のＬＥＤ灯２０２を並列に接続している。また、一対のＬＥＤ灯２０２のそれぞれのアノード側にはツェナーダイオードＴＤが介在している。
【００３１】
したがって、二つの太陽光発電パネル１０４の発電量が共に同等である場合、一対のＬＥＤ灯２０２のそれぞれには電流が流れず、それ故に個々のＬＥＤ灯２０２の入力側と出力側とに電位差が生じず、一対のＬＥＤ灯２０２は共に点灯しない。これに対して、一方の太陽光発電パネル１０４の発電量が低下すると、一方のＬＥＤ灯２０２が点灯する。点灯するＬＥＤ灯２０２は、発電量が低下していない方の太陽光発電パネル１０４の出力側にアノード側を接続するＬＥＤ灯２０２である。そこで、個々の太陽光発電パネル１０４とそれらの出力側にカソード側を接続したＬＥＤ灯２０２とを組にして対応させておけば、発電量が低下した太陽光発電パネル１０４に対応するＬＥＤ灯２０２を点灯させることが可能となる。
【００３２】
しかも、本例の故障検出回路２０４は、ＬＥＤ灯２０２のアノード側にツェナーダイオードＴＤを介在させている。これにより、一方の太陽光発電パネル１０４の発電量が下がった際、ツェナーダイオードＴＤのツェナ電圧まで電圧が下がって初めてＬＥＤ灯２０２を点灯させることができる。これにより、一方の太陽光発電パネル１０４の発電量が僅かでも下がった際に、いきなり対応するＬＥＤ灯２０２が点灯するような不都合を回避することができる。
【００３３】
図７は、ＬＥＤ灯配置部２０５及び標示部２０６の一例を示す模式図である。本実施の形態の太陽光発電パネル１０４の診断装置Ａは、ＬＥＤ灯配置部２０５及び標示部２０６をも有している。より詳しく説明すると、第１例の故障検出部２０１（図２参照）は、ＬＥＤ灯配置部２０５を必須の構成要素とするのに対して、第２例の故障検出部２０１（図５参照）は、ＬＥＤ灯配置部２０５を必須の構成要素としない。ここに、ＬＥＤ灯配置部２０５というのは、一対のＬＥＤ灯２０２を隣接配置する構造物である。前述したように、第１例の故障検出部２０１は、隣接する二つの太陽光発電パネル１０４に対応付けられた一対のＬＥＤ灯２０２の発光状態を見比べて、人間の判断によって一方の太陽光発電パネル１０４の不具合を診断する。それ故、一対のＬＥＤ灯２０２に隣接配置という条件を要求する。図７に示す一例では、個々の太陽光発電パネル１０４のフレーム部分に一対のＬＥＤ灯２０２が縦一列に隣接配置されており、これによってＬＥＤ灯配置部２０５が構成されている。
【００３４】
これに対して、第１例の故障検出部２０１（図２参照）であっても、第２例の故障検出部２０１（図５参照）であっても、いずれも標示部２０６を必須の構成要素とする。標示部２０６というのは、一対のＬＥＤ灯２０２と二つの太陽光発電パネル１０４との対応関係を記号化して示すものである。ここにいう「記号化」というのは、色彩、文字、配置等の記号に意味内容、ここではいずれの太陽光発電パネル１０４であるのかという意味内容を付与することを指している。図７に示す一例では、一対のＬＥＤ灯２０２の間で異なる色彩を記号としている。例えば、上側に位置するＬＥＤ灯２０２を青色、下側に位置するＬＥＤ灯２０２を赤色としている。この場合、ＬＥＤ灯２０２を構成するＬＥＤそのものの発光色によって色分けするのではなく、一対のＬＥＤ灯２０２にそれぞれ青色と赤色との透光性カバーを被せることが好適である。一例として、一対のＬＥＤ灯２０２が配置されている太陽光発電パネル１０４を指し示すＬＥＤ灯２０２は青色、その左隣に隣接する太陽光発電パネル１０４を指し示すＬＥＤ灯２０２は赤色にそれぞれ対応させている。
【００３５】
つまり、図７に例示する標示部２０６は、青色のＬＥＤ灯２０２に、一対のＬＥＤ灯２０２が配置されている太陽光発電パネル１０４が対応付けられているという意味内容を付与し、赤色のＬＥＤ灯２０２に、その左隣に隣接する太陽光発電パネル１０４が対応付けられているという意味内容を付与していることになる。したがって、標示部２０６は、人為的な規則を設定していることになる。
【００３６】
したがって、第１例の故障検出部２０１（図２参照）を採用した場合、もしも青色のＬＥＤ灯２０２よりも赤色のＬＥＤ灯２０２の方の発光強度が低下すれば、一対のＬＥＤ灯２０２が配置されている太陽光発電パネル１０４の左隣に隣接する太陽光発電パネル１０４の発電量が低下していることが分かる。反対に、もしも赤色のＬＥＤ灯２０２よりも青色のＬＥＤ灯２０２の方の発光強度が低下すれば、一対のＬＥＤ灯２０２が配置されている太陽光発電パネル１０４の発電量が低下していることが分かる。こうして、いずれか一方の太陽光発電パネル１０４における発電量の低下を容易に診断することができる。
【００３７】
これに対して、第２例の故障検出部２０１（図５参照）を採用した場合、一対のＬＥＤ灯２０２が配置されている太陽光発電パネル１０４の左隣に隣接する太陽光発電パネル１０４の発電量が低下したならば、故障検出回路２０４は赤色のＬＥＤ灯２０２を点灯させる。反対に、一対のＬＥＤ灯２０２が配置されている太陽光発電パネル１０４の発電量が低下したならば、故障検出回路２０４は青色のＬＥＤ灯２０２を点灯させる。こうして、いずれか一方の太陽光発電パネル１０４における発電量の低下を容易に診断することができる。
【００３８】
図８は、ＬＥＤ灯配置部２０５及び標示部２０６の別の一例を示す模式図である。図９は、標示部２０６を拡大して示す正面図である。図８及び図９に例示する標示部２０６は、一対のＬＥＤ灯２０２を色分けせず、文字という記号で区別する。つまり、縦一列に隣接配置された一対のＬＥＤ灯２０２のうち、下方に位置するＬＥＤ灯２０２の下には「ＬＥＦＴ」という英文字が表記されている。この「ＬＥＦＴ」という英文字の記号は、下方に位置するＬＥＤ灯２０２が、一対のＬＥＤ灯２０２が配置されている太陽光発電パネル１０４の左隣に隣接する太陽光発電パネル１０４に対応するＬＥＤ灯２０２であるという意味内容を生じさせている。その反射的効果として、「ＬＥＦＴ」という英文字の記号は、上方に位置するＬＥＤ灯２０２が、一対のＬＥＤ灯２０２が配置されている太陽光発電パネル１０４に対応するＬＥＤ灯２０２であるという意味内容をも生じさせている。つまり、「ＬＥＦＴ」という英文字は、下方に位置するＬＥＤ灯２０２が一対のＬＥＤ灯２０２が配置されている太陽光発電パネル１０４の左隣に隣接する太陽光発電パネル１０４に対応することを明示し、上方に位置するＬＥＤ灯２０２が一対のＬＥＤ灯２０２が配置されている太陽光発電パネル１０４に対応することを暗示していることになる。
【００３９】
したがって、第１例の故障検出部２０１（図２参照）を採用した場合、もしも上方位置のＬＥＤ灯２０２よりも下方位置のＬＥＤ灯２０２の方の発光強度が低下すれば、一対のＬＥＤ灯２０２が配置されている太陽光発電パネル１０４の左隣に隣接する太陽光発電パネル１０４の発電量の低下を観察者に明示することができる。反対に、もしも下方位置のＬＥＤ灯２０２よりも上方位置のＬＥＤ灯２０２の方の発光強度が低下すれば、一対のＬＥＤ灯２０２が配置されている太陽光発電パネル１０４の発電量の低下を観察者に暗示することができる。こうして、いずれか一方の太陽光発電パネル１０４における発電量の低下を容易に診断することができる。
【００４０】
これに加えて、第１例の故障検出部２０１（図２参照）を採用する場合には、一対のＬＥＤ灯２０２を、それぞれ、発光色が異なる複数個のＬＥＤから形成することが好適である。周知のように、発光色の相違はＬＥＤを構成する材料の相違によってもたらされ、それ故、発光させるに足りる電圧は色に応じて相違する。そこで、発光色が異なる複数個のＬＥＤによってＬＥＤ灯２０２を形成すれば、太陽光発電パネル１０４の発電量の低下具合に応じて対応するＬＥＤ灯２０２の発光色が変化する。したがって、ＬＥＤ灯２０２の発光色によって太陽光発電パネル１０４の発電量の低下具合を観察者に示すことが可能となる。
【００４１】
これに対して、第２例の故障検出部２０１（図５参照）を採用した場合、一対のＬＥＤ灯２０２が配置されている太陽光発電パネル１０４の左隣に隣接する太陽光発電パネル１０４の発電量が低下したならば、故障検出回路２０４は下方位置のＬＥＤ灯２０２を点灯させる。この際、「ＬＥＦＴ」という英文字の記号は、その太陽光発電パネル１０４の発電量の低下を観察者に明示する。反対に、一対のＬＥＤ灯２０２が配置されている太陽光発電パネル１０４の発電量が低下したならば、故障検出回路２０４は上方位置のＬＥＤ灯２０２を点灯させる。この際、「ＬＥＦＴ」という英文字の記号は、その太陽光発電パネル１０４の発電量の低下を観察者に暗示する。こうして、いずれか一方の太陽光発電パネル１０４における発電量の低下を容易に診断することができる。
【００４２】
図１０は、ＬＥＤ灯配置部２０５及び標示部２０６の更に別の一例を示す模式図である。図１０に例示する標示部２０６は、個々のＬＥＤ灯２０２の配置位置によって、一対のＬＥＤ灯２０２と二つの太陽光発電パネル１０４との対応関係を記号化する。つまり、図１０中、中央部に位置する太陽光発電パネル１０４の左肩に配置されているＬＥＤ灯２０２は、その太陽光発電パネル１０４に対応付けられている。また、その太陽光発電パネル１０４の左隣に隣接する太陽光発電パネル１０４の右肩に配置されているＬＥＤ灯２０２は、その太陽光発電パネル１０４に対応付けられている。そして、中央部に位置する太陽光発電パネル１０４の左肩に位置するＬＥＤ灯２０２とその左隣に隣接する太陽光発電パネル１０４の右肩に配置されているＬＥＤ灯２０２とは、それぞれ隣接配置されている。これによって、これらのＬＥＤ灯２０２は、それらの中央部に位置する太陽光発電パネル１０４とその左隣に隣接する太陽光発電パネル１０４とにそれぞれ対応する一対のＬＥＤ灯２０２をなしていることが示されている。
【００４３】
したがって、第１例の故障検出部２０１（図２参照）を採用した場合、もしも中央部に位置する太陽光発電パネル１０４の左肩のＬＥＤ灯２０２よりもその左隣に隣接する太陽光発電パネル１０４の右肩のＬＥＤ灯２０２の方の発光強度が低下すれば、その左隣に隣接する太陽光発電パネル１０４の発電量の低下を観察者に示すことができる。反対に、もしも中央部の左隣に隣接する太陽光発電パネル１０４の右肩のＬＥＤ灯２０２の方の発光強度よりも中央部に位置する太陽光発電パネル１０４の左肩のＬＥＤ灯２０２の方の発光強度が低下すれば、中央部に位置する太陽光発電パネル１０４の発電量の低下を観察者に示すことができる。こうして、いずれか一方の太陽光発電パネル１０４における発電量の低下を容易に診断することができる。
【００４４】
これに加えて、第１例の故障検出部２０１（図２参照）を採用する場合には、一対のＬＥＤ灯２０２を、それぞれ、発光色が異なる複数個のＬＥＤから形成することが好適である。周知のように、発光色の相違はＬＥＤを構成する材料の相違によってもたらされ、それ故、発光させるに足りる電圧は色に応じて相違する。そこで、発光色が異なる複数個のＬＥＤによってＬＥＤ灯２０２を形成すれば、太陽光発電パネル１０４の発電量の低下具合に応じて対応するＬＥＤ灯２０２の発光色が変化する。したがって、ＬＥＤ灯２０２の発光色によって太陽光発電パネル１０４の発電量の低下具合を観察者に示すことが可能となる。
【００４５】
これに対して、第２例の故障検出部２０１（図５参照）を採用した場合、中央部の左隣に隣接する太陽光発電パネル１０４の発電量が低下したならば、故障検出回路２０４はその右肩のＬＥＤ灯２０２を点灯させる。反対に、中央部に位置する太陽光発電パネル１０４の発電量が低下したならば、故障検出回路２０４はその左肩のＬＥＤ灯２０２を点灯させる。こうして、いずれか一方の太陽光発電パネル１０４における発電量の低下を容易に診断することができる。
【００４６】
以上、図７〜図１０に基づいて太陽光発電パネル１０４が有する故障検出部２０１について説明した。これに対して、接続箱１０７が有する故障検出部３０１も、故障検出部２０１と類似の構成を採用することができる。つまり、故障検出部３０１が有する発光回路３０３は、個々の系統１０９に対応付けられているＬＥＤ灯３０２を例えば一例に配列する。そして、色分け、文字、配置等の記号化を施すことによって、換言すると標示部２０６と同等の構成を採用することによって、個々のＬＥＤ灯３０２と各系統１０９とを対応付けることができる。そこで、観察者が個々のＬＥＤ灯３０２の発光状態を見比べることで、各系統１０９を単位とする太陽光発電パネル１０４の発電量の状態を診断することが可能となる。
【００４７】
以上、太陽光発電パネル１０４の診断装置Ａを有する遮音壁１０１について紹介した。これに対して、別の実施の形態としては、太陽光発電パネル１０４を有して建造物の開口部を塞ぐ透光性を有する建造物用の窓ガラス（図示せず）に対して、太陽光発電パネル１０４の診断装置Ａを適用しても良い。この場合、一対の透光板の間に結線された複数個の球状の太陽電池セルをラミネートすることで、太陽光発電パネル１０４と一体型の窓ガラスを形成することができる。診断装置Ａについては、前記実施の形態で説明したものと同様の構成のものを用いることができる。
【００４８】
このような太陽光発電パネル１０４と一体型の建造物用窓ガラスは、開閉窓用、引戸用、嵌め殺し用、トップライト用等、各種の窓に用いることができる。また、太陽光発電パネル１０４と一体型の窓ガラスを用いる建造物についても、その種類を問わず、オフィスビル用、商業ビル用、複合ビル用、住宅用等、各種の建造物に用いることができる。
【００４９】
更に別の実施の形態としては、太陽光発電パネル１０４を有して乗物の開口部を塞ぐ透光性を有する乗物用の窓ガラス（図示せず）に対して、太陽光発電パネル１０４の診断装置Ａを適用しても良い。この場合、一対の透光板の間に結線された複数個の球状の太陽電池セルをラミネートすることで、太陽光発電パネル１０４と一体型の窓ガラスを形成することができる。診断装置Ａについては、前記実施の形態で説明したものと同様の構成のものを用いることができる。
【００５０】
このような太陽光発電パネル１０４と一体型の乗物用窓ガラスは、陸上用、水上用、航空用等の各種の乗物に用いることができる。例えば、陸上用であれば、各種の自動車、ショベルカー等の建設用機械、トラクタ等の農業用機械、鉄道車両、モノレール、ロープウェイ、ゴンドラ、スノーモービル等に適用することができる。水上用であれば、各種の船舶、ヨット等に適用することができる。航空用であれば、航空機、グライダ、ヘリコプタ等に適用することができる。その他、観覧車等の遊具に適用しても良い。
【符号の説明】
【００５１】
１０１  遮音壁
１０３  遮音パネル
１０４  太陽光発電パネル
２０２  ＬＥＤ灯
２０３  発光回路
２０４  故障検出回路
２０５  ＬＥＤ灯配置部
２０６  標示部
３０３  発光回路
ＰＳＬ  給電ライン
ＴＤ  ツェナーダイオード
【図１】
2011096987.tif 000003
【図２】
2011096987.tif 000004
【図３】
2011096987.tif 000005
【図４】
2011096987.tif 000006
【図５】
2011096987.tif 000007
【図６】
2011096987.tif 000008
【図７】
2011096987.tif 000009
【図８】
2011096987.tif 000010
【図９】
2011096987.tif 000011
【図１０】
2011096987.tif 000012